(57)【要約】【課題】ヒューズの溶断を容易かつ確実に視認可能とすることにより、作業の安全性を向上できるテストリードを提供する。【解決手段】長手方向の両端に挿通孔を有する筒状のケースと、上記ケース内において該ケースの長手方向に並んで配置されるヒューズ及び発光素子を有し、該ヒューズが溶断した状態で印加した電圧によって該発光素子を発光させる検知回路と、上記検知回路が有する一方及び他方の端子から、それぞれ上記挿通孔を通って上記ケースの外方へ延びるリード線と、上記リード線の先端に接続されたクリップと、を備え、上記ケースは、上記検知回路を収容する部分が、上記ヒューズを視認可能にするとともに、上記発光素子の光を透過させる光透過部を有する。【選択図】図１
2020177788.tif 000002
【特許請求の範囲】
【請求項１】
電気回路の試験の際に回路の二次側を短絡させるためのテストリードにおいて、
長手方向の両端に挿通孔を有する筒状のケースと、
上記ケース内において該ケースの長手方向に並んで配置されるヒューズ及び発光素子を有し、該ヒューズが溶断した状態で印加した電圧によって該発光素子を発光させる検知回路と、
上記検知回路が有する一方及び他方の端子から、それぞれ上記挿通孔を通って上記ケースの外方へ延びるリード線と、
上記リード線の先端に接続されたクリップと、を備え、
上記ケースは、上記検知回路を収容する部分が、上記ヒューズを視認可能にするとともに、上記発光素子の光を透過させる光透過部を有することを特徴とするテストリード。
【請求項２】
上記ケースは、円筒状であり、径方向に分割された第１ケース構成部材及び第２ケース構成部材を有し、
一方のケース構成部材が透明な樹脂材で構成され、他方のケース構成部材が着色された樹脂材で構成されることを特徴とする請求項１に記載のテストリード。
【請求項３】
上記ケースは、長手方向の両端に、先端側へ向けて窄むテーパー部と、該テーパー部の先端に上記挿通孔を有し、
上記検知回路の一方の端子は、上記ケースの一方の上記テーパー部に収容され、
上記検知回路の他方の端子は、上記ケースの他方の上記テーパー部に収容され、
上記ヒューズ及び上記発光素子は、上記ケースにおける上記一方の端子と上記他方の端子との間に収容されることを特徴とする請求項１または２に記載のテストリード。
【請求項４】
上記ヒューズ、上記発光素子、及び上記挿通孔は、略一直線上にあることを特徴とする請求項１から３のいずれか１項に記載のテストリード。
【請求項５】
上記挿通孔は、上記ケースと略同軸上にあることを特徴とする請求項２から４のいずれか１項に記載のテストリード。
【発明の詳細な説明】
【技術分野】
【０００１】
本発明は、電気回路の試験の際に回路の二次側を短絡させるためのテストリードに関するものである。
【背景技術】
【０００２】
分電盤の分岐回路の行先を確認する作業では、無電圧状態にて分電盤を構成する分岐開閉器の２次側をテストリードによって短絡させ、配線の行先側でテスタを用いて導通（短絡）の確認が行われる。このとき、分岐開閉器に電圧がかかっていた場合、テストリードに大電流が流れ、アーク災害の危険があった。
【０００３】
このように短絡電流が流れた場合であっても、ヒューズ入りのテストリードを用いれば、短絡電流を遮断することが可能である。同様の電気回路試験において、ヒューズ入りのテストリードは従来から用いられている。
【０００４】
例えば、特許文献１には、容量別の複数のヒューズとスイッチ機構を有するヒューズホルダを用いたジャンパー線が開示されており、これによって、試験対象の電気回路に合致したヒューズを選択可能であると記載されている。
【０００５】
また、特許文献２には、ヒューズと端子との間に可変抵抗手段が設けられた可変抵抗付きヒューズクリップが開示されており、これによって、短絡するリレー盤の端子を作業員が誤認しても、誤制御や誤遮断の発生を防止できると記載されている。
【先行技術文献】
【特許文献】
【０００６】
【特許文献１】特開２００５−００４９７３
【特許文献２】特開２００６−２２３０６７
【発明の概要】
【発明が解決しようとする課題】
【０００７】
しかしながら、従来のヒューズ入りテストリードは、ヒューズが溶断していても、その状態を容易に確認することはできなかった。
【０００８】
本発明は斯かる諸点に鑑みてなされたものであり、その目的は、ヒューズの溶断を容易に視認可能とすることにある。
【課題を解決するための手段】
【０００９】
上記の目的を達成するために、この発明では、ヒューズが溶断した状態で印加した電圧によって発光素子が発光する構成とすることにより、ヒューズの溶断を容易に視認可能とした。
【００１０】
具体的には、第１の発明は、
電気回路の試験の際に回路の二次側を短絡させるためのテストリードにおいて、
長手方向の両端に挿通孔を有する筒状のケースと、
上記ケース内において該ケースの長手方向に並んで配置されるヒューズ及び発光素子を有し、該ヒューズが溶断した状態で印加した電圧によって該発光素子を発光させる検知回路と、
上記検知回路が有する一方及び他方の端子から、それぞれ上記挿通孔を通って上記ケースの外方へ延びるリード線と、
上記リード線の先端に接続されたクリップと、を備え、
上記ケースは、上記検知回路を収容する部分が、上記ヒューズを視認可能にするとともに、上記発光素子の光を透過させる光透過部を有することを特徴とする。
【００１１】
上記の構成によれば、ケース内の検知回路に、ヒューズ及び発光素子を有することにより、ヒューズが溶断した状態で印加した電圧によって、発光素子が発光する。ケースは、検知回路を収容する部分が、上記ヒューズを視認可能にするとともに、上記発光素子の光を透過させる光透過部を有するため、ヒューズが溶断した際に発光素子の光によって報知されるだけでなく、ヒューズの状態を直接目視で確認することができる。ケース内において、ヒューズ及び発光素子は、ケースの長手方向に並んで配置されるため、ヒューズと発光素子の状態を一目で確認することが容易となる。このように、ヒューズの溶断を容易かつ確実に認識可能とすることにより、作業の安全性を向上できる。
【００１２】
第２の発明は、第１の発明において、
上記ケースは、円筒状であり、径方向に分割された第１ケース構成部材及び第２ケース構成部材を有し、
一方のケース構成部材が透明な樹脂材で構成され、他方のケース構成部材が着色された樹脂材で構成されることを特徴とする。
【００１３】
上記の構成によれば、ケースは径方向に分割されているため、一方のケース構成部材を取り外すことにより、ケースが大きく開口してヒューズが露出するため、ヒューズを容易に交換可能である。また、透明なケース構成部材及び着色されたケース構成部材によって、発光素子の発光及びヒューズの溶断の視認性が高まる。
【００１４】
第３の発明は、第１の発明または第２の発明において、
上記ケースは、長手方向の両端に、先端側へ向けて窄むテーパー部と、該テーパー部の先端に上記挿通孔を有し、
上記検知回路の一方の端子は、上記ケースの一方の上記テーパー部に収容され、
上記検知回路の他方の端子は、上記ケースの他方の上記テーパー部に収容され、
上記ヒューズ及び上記発光素子は、上記ケースにおける上記一方の端子と上記他方の端子との間に収容されることを特徴とする。
【００１５】
上記の構成によれば、先端側へ向けて窄むテーパー部によって、例えば、テストリードを作業袋から出し入れする際に、ケースの引っ掛かりを防ぐことができるため、扱いやすい。また、一方の端子、他方の端子、ヒューズ、及び発光素子がケースの長手方向に沿って一列に並び、ケース内にコンパクトに収容されるので、並列に配置されるよりも、ケースの径を小さくすることができる。そのため、作業者がテストリードを扱いやすく、作業性が向上する。
【００１６】
第４の発明は、第１から第３の発明のいずれか１つにおいて、
上記ヒューズ、上記発光素子、及び上記挿通孔は、略一直線上にあることを特徴とする。
【００１７】
上記の構成によれば、ケースの径をより小さくすることができるため、テストリードがより取り扱いやすくなる。
【００１８】
第５の発明は、第２から第４の発明のいずれか１つにおいて、
上記挿通孔は、上記ケースと略同軸上にあることを特徴とする。
【００１９】
上記の構成によれば、ケースをよりコンパクトにできるため、作業性をより向上させることができる。
【発明の効果】
【００２０】
以上説明したように、ヒューズの溶断を容易かつ確実に視認可能とすることにより、作業の安全性を向上できる。
【図面の簡単な説明】
【００２１】
【図１】本実施形態に係るテストリードの正面図である。
【図２】ケース内部を示す概略平面図である。
【図３】検知回路の回路図である。
【図４】ケースを第１ケース構成部材と第２ケース構成部材に分離した状態の正面図である。
【図５】ケースの側面図である。
【図６】ケースの変形例を示す図４相当図である。
【図７】テストリードの使用方法を説明する概略図である。
【発明を実施するための形態】
【００２２】
以下、本発明の実施形態を図面に基づいて詳細に説明する。以下の好ましい実施形態の説明は、本質的に例示に過ぎず、本発明、その適用物或いはその用途を制限することを意図するものでは全くない。
【００２３】
なお、本実施形態では、ケースを円筒状とするため、ケースの長手方向を「軸方向」と呼び、ケースの短手方向を「径方向」と呼ぶ。また、軸方向と直交する方向を上下方向として、図面の上側を単に「上側」と呼び、図面の下側を単に「下側」と呼ぶ。
【００２４】
（実施形態１）
図１は、本実施形態に係るテストリード１の正面図である。図１に示すように、テストリード１は、円筒状のケース２と、ケース２内に検知回路５と、検知回路５が有する一方及び他方の端子５ａ、５ｂから、それぞれケース２の外方へ延びるリード線３と、リード線３の先端に接続されたクリップ４と、を備える。
【００２５】
テストリード１は、クリップ４、４を分岐回路の二次側の配線や端子に直接接続することにより、分電盤の回路の試験の際に分岐開閉器の二次側を無電圧状態で短絡させるものである。クリップ４には、ワニグチクリップを使用することができる。
【００２６】
ケース２は、円筒状の直線部２ａの長手方向の両端に、先端側へ向けて窄むテーパー部２ｂを有する。テーパー部２ｂの先端には、挿通孔２ｃを有する。テストリード１は、ケース２内に検知回路５を備え、検知回路５が有する一方の端子５ａ及び他方の端子５ｂから、それぞれ挿通孔２ｃを通ってケース２の外方へリード線３が延びる。
【００２７】
図２は、ケース２の内部を示す概略平面図である。なお、後述するように、本実施形態において、ケース２の上方に位置する第１ケース構成部材２１は無色透明であるので、図２のように平面視すると、ケース２越しに検知回路５が視認できる。また、図２において、検知回路５の配線は省略した。回路については、後述の図３において説明する。
【００２８】
図２に示すように、テストリード１は、ケース２内に、ヒューズ６及び発光素子７を有する検知回路５を備える。検知回路５は両端に端子５ａ、５ｂを有する。検知回路５の一方の端子５ａはケース２の一方のテーパー部２ｃに収容され、検知回路５の他方の端子５ｂは他方のテーパー部２ｃに収容される。ヒューズ６及び発光素子７は、ケース２の長手方向に並んで配置され、ケース２における一方の端子５ａと他方の端子５ｂとの間の直線部２ａに収容される。なお、ケース２内において、ヒューズ６、発光素子７、及び挿通孔２ｃは略一直線上にあることが好ましい。
【００２９】
図３は、検知回路５の回路図である。検知回路５は、ヒューズ６が溶断した状態で印加した電圧によって発光素子７を発光させる。具体的には、図３に示すように、検知回路５において、発光素子７と抵抗８とが直列に接続される。また、発光素子７と抵抗８は、ヒューズ６に対して並列に接続される。そのため、ヒューズ６が溶断していない通常時に、端子５ａ、５ｂ間に電圧がかかった際には、電流は抵抗の少ないヒューズ６側を流れ、発光素子７は発光しない。ヒューズ６が溶断した場合、端子５ａ、５ｂ間に電圧がかかった際には、電流は発光素子７側を流れ、発光素子７が発光する。
【００３０】
ヒューズ６は、エレメント６ａが溶断したことを目視で確認可能なものであることが望ましく、例えば、ガラス管ヒューズである。また、発光素子７は、特に限定されないが、例えば、ネオンランプである。なお、ヒューズ６は検知回路５に着脱可能に接続されるため、溶断した際には容易に交換可能である。
【００３１】
図４は、ケースを第１ケース構成部材と第２ケース構成部材に分離した状態の正面図である。ケース２は、径方向に分割された第１ケース構成部材２１及び第２ケース構成部材２２を有する。図４に示すように、本実施形態では、ケース２は略等分に上下に分割されており、ケース２の上方に位置する第１ケース構成部材２１と、ケース２の下方に位置する第２ケース構成部材２２からなる。
【００３２】
ケース２は、検知回路５を収容する部分が、ヒューズ６を視認可能にするとともに、発光素子７の光を透過させる光透過部を有する。本実施形態では、第１ケース構成部材２１は例えば無色透明な樹脂材で構成されており、第１ケース構成部材２１全体が光透過部である。第１ケース構成部材２１は、第２ケース構成部材２２へ着脱可能であり、第２ケース構成部材２２の上部を覆う蓋となる。
【００３３】
第１ケース構成部材２１は、ケース２の直線部２ａを構成する直線部構成部２１ａと、直線部構成部２１ａの両端にテーパー部２ｂを構成するテーパー部構成部２１ｂを有する。そして、テーパー部構成部２１ｂの端部には挿通孔２ｃを構成する挿通孔構成部２１ｃが形成される。
【００３４】
直線部構成部２１ａには、周方向の縁から下方へ延びる係止部２１ｄを有する。係止部２１ｄは、周方向両縁に形成され、係止孔２１ｅを有する。また、直線部構成部２１ａは、周方向両縁の第２ケース構成部材２２と当接する面に、嵌合凹部２１ｆを有する。嵌合凹部２１ｆは、上方に向かって凹み、係止部２１の両側にそれぞれ形成される。嵌合凹部２１ｆの数は限定されないが、本実施形態では、係止部２１の両側及び周方向両縁の計４箇所に設けられている。
【００３５】
第２ケース構成部材２２は、例えば黒色等の光を透過しない色で着色された樹脂材で構成され、内周側に検知回路５が組み付けられる。第２ケース構成部材２２は、直線部２ａを構成する直線部構成部２２ａと、直線部構成部２２ａの両端にテーパー部２ｂを構成するテーパー部構成部２２ｂを有する。そして、テーパー部構成部２２ｂの端部には挿通孔２ｃを構成する挿通孔構成部材２２ｃが形成される。
【００３６】
直線部構成部２２ａには、係止凹部２２ｄと係止凸部２２ｅが形成される。係止凹部２２ｄは、係止部２１ｄに対向する直線部構成部２２ａの外周側を凹ませて形成される。係止凸部２２ｅは、係止凹部２２ｄより突出し、係止孔２１ｅに係止可能に形成される。また、直線部構成部２２ａは、第１ケース構成部材２１と当接する面に、嵌合凸部２２ｆを有する。嵌合凸部２２ｆは、上方に向かって突出し、第１ケース構成部材２１の嵌合凹部２１ｆに対向して形成される。
【００３７】
第１ケース構成部材２１と第２ケース構成部材２２は、係脱自在である。第１ケース構成部材２１と第２ケース構成部材２２を重ね合わせると、係止孔２１ｅに係止凸部２２ｅが嵌まり込んで係止部２１ｄが係止凹部２２ｄに係止されるとともに、嵌合凸部２２ｆが嵌合凹部２１ｆに嵌まり込む。
【００３８】
図５は、ケース２の側面図である。図５に示すように、挿通孔２ｃは円形である。挿通孔２ｃの中心は、円筒状の直線部２ａと略同軸上にあることが好ましい。
【００３９】
（ケースの変形例）
図６は、ケースの変形例を示し、第１ケース構成部材と第２ケース構成部材に分離した状態の正面図である。
【００４０】
図６において、第１ケース構成部材２１と第２ケース構成部材２２は、嵌合凹部２１ｆと嵌合凸部２２ｆを有しない代わりに、位置決め部２２ｇを有する点で上記実施形態と異なるが、その他の構成は同じである。
【００４１】
第２ケース構成部材２２は、直線部構成部２２ａの長手方向両端及び周方向両縁に位置決め部２２ｇを有する。位置決め部２２ｇは、第２ケース構成部材２２の内壁から内周側へ向かって突出するとともに、第２ケース構成部材２２の上端から上方に向かって延びる。第２ケース構成部材２２の上端から上方に突出する位置決め部２２ｇの上部は、第１ケース構成部材２１の直線部構成部２１ａの内壁に当接する。
【００４２】
なお、本変形例では、長手方向両端及び周方向両縁の４箇所に１対ずつ位置決め部２２ｇが設けられているが、位置決め部２２ｇの数や形状は限定されるものではない。また、位置決め部２２ｇは、第１ケース構成部材２１に設けられていてもよい。ケース２は、位置決め部２２ｇを備えることにより、第１ケース構成部材２１と第２ケース構成部材２２を重ね合わせる際に位置決めが容易となるため、作業性を向上できる。
【００４３】
（使用方法）
次に、本発明のテストリード１の使用方法について説明する。図７は、テストリード１の使用方法を説明する概略図である。試験対象である回路Ｘは、無電圧状態において、一方側にテストリード１を接続し、短絡させる。また、回路Ｘの他方側にテスタＹを接続する。そして、テスタＹによって導通を確認することによって、回路Ｘ１、Ｘ２が同一の回路であるか否かが判断できる。
【００４４】
（作用及び効果）
以上のように構成した本実施形態のテストリード１によれば、ケース２内の検知回路５に、ヒューズ６及び発光素子７を有することにより、ヒューズ６が溶断した状態で印加した電圧によって、発光素子７が発光する。ケース２は、検知回路５を収容する部分が、ヒューズ６を視認可能にするとともに、発光素子７の光を透過させる光透過部（第１ケース構成部材２１）を有する。そのため、ヒューズ６が溶断した際に、発光素子７の光によって報知されるだけでなく、ヒューズ６の状態を直接目視で確認することができる。このように、ヒューズ６の溶断を容易かつ確実に視認可能とすることにより、作業の安全性を向上できる。
【００４５】
また、ケース２は径方向に分割されているため、第２ケース構成部材２２から第１ケース構成部材２１を取り外すことにより、ケース２が大きく開口し、ヒューズ６が露出するため、ヒューズ６を容易に交換可能である。第１ケース構成部材２１と第２ケース構成部材２２は、係止孔２１ｅ、係止凸部２２ｅ、係止部２１ｄ、及び係止凹部、並びに嵌合凹部２１ｆ及び嵌合凸部２２ｆによって、着脱が容易である。また、透明な第１ケース構成部材２１及び着色された第２ケース構成部材２２によって、発光素子７の発光が容易に確認できるとともに、ヒューズ６の非常に細いエレメント６ａが溶断しているか否かを容易に視認可能となる。
【００４６】
一方の端子５ａはケース２の一方のテーパー部２ｃに収容され、検知回路５の他方の端子５ｂは他方のテーパー部２ｃに収容される。そして、ヒューズ６及び発光素子７は、ケース２の長手方向に並んで配置され、ケース２における一方の端子５ａと他方の端子５ｂとの間の直線部２ａに収容される。この構成により、一方の端子５ａ、他方の端子５ｂ、ヒューズ６、及び発光素子７がケース２の長手方向に沿って一列に並び、ケース２内にコンパクトに収容できる。ヒューズ６及び発光素子７を並列に配置するよりも、ケース２の径は小さくなる。そのため、例えば、工具袋から取り出す際にケース２が引っ掛からない等、作業者がテストリード１を扱いやすく、作業性が向上する。
【００４７】
なお、ケース２の径をより小さくするためには、ヒューズ６、発光素子７、及び挿通孔２ｃは略一直線上にあることが好ましい。また、挿通孔２ｃの中心は、円筒状の直線部２ａと略同軸上にあれば、より好ましい。
【００４８】
また、本実施形態においてケースは円筒状であることが好ましいが、円筒状に限らず、他の断面形状を有するものであってもよい。
【００４９】
クリップは、本実施形態においてワニグチクリップであるが、他の接続端子を用いてもよい。
【００５０】
また、本実施形態では、検知回路において、発光素子と抵抗とが直列に接続されており、発光素子と抵抗とが、ヒューズに対して並列に接続されるが、ヒューズが溶断した際に発光素子が発光するように設計された回路であれば、これに限られない。
【００５１】
また、本実施形態のように、必ずしも第１ケース構成部材全体が光透過部である必要はなく、ヒューズを視認可能かつ、発光素子の光を透過可能であれば、光透過部はどのような形態であってもよく、例えば、第１ケース構成部材に窓のように設けてあってもよい。
【産業上の利用可能性】
【００５２】
本発明は、分電盤の回路試験の際に分岐開閉器の二次側を無電圧状態で短絡させるために使用することができる。
【符号の説明】
【００５３】
１      テストリード
２      ケース
２ａ    直線部
２ｂ    テーパー部
２ｃ    挿通孔
３      リード線
４      クリップ
５      検知回路
５ａ    一方の端子
５ｂ    他方の端子
６      ヒューズ
７      発光素子
８      抵抗
２１      第１ケース構成部材（光透過部）
２２      第２ケース構成部材
【図１】
2020177788.tif 000003
【図２】
2020177788.tif 000004
【図３】
2020177788.tif 000005
【図４】
2020177788.tif 000006
【図５】
2020177788.tif 000007
【図６】
2020177788.tif 000008
【図７】
2020177788.tif 000009
【手続補正書】
【提出日】令和2年5月25日(2020.5.25)
【手続補正１】
【補正対象書類名】明細書
【補正対象項目名】００１０
【補正方法】変更
【補正の内容】
【００１０】
具体的には、第１の発明は、
電気回路の試験の際に回路の二次側を短絡させるためのテストリードにおいて、
長手方向の両端に挿通孔を有する筒状のケースと、
上記ケース内において該ケースの長手方向に並んで配置されるヒューズ及び発光素子を有し、該ヒューズが溶断した状態で印加した電圧によって該発光素子を発光させる検知回路と、
上記検知回路が有する一方及び他方の端子から、それぞれ上記挿通孔を通って上記ケースの外方へ延びるリード線と、
上記リード線の先端に接続されたクリップと、を備え、
上記ケースは、上記検知回路を収容する部分が、上記ヒューズを視認可能にするとともに、上記発光素子の光を透過させる光透過部と、長手方向の両端に、先端側へ向けて窄むテーパー部と、該テーパー部の先端に上記挿通孔を有し、
上記検知回路の一方の端子は、上記ケースの一方の上記テーパー部に収容され、
上記検知回路の他方の端子は、上記ケースの他方の上記テーパー部に収容され、
上記ヒューズ及び上記発光素子は、上記ケースにおける上記一方の端子と上記他方の端子との間に収容され、
上記ヒューズ、上記発光素子、及び上記挿通孔は、略一直線上にあることを特徴とする。
【手続補正２】
【補正対象書類名】明細書
【補正対象項目名】００１１
【補正方法】変更
【補正の内容】
【００１１】
上記の構成によれば、ケース内の検知回路に、ヒューズ及び発光素子を有することにより、ヒューズが溶断した状態で印加した電圧によって、発光素子が発光する。ケースは、検知回路を収容する部分が、上記ヒューズを視認可能にするとともに、上記発光素子の光を透過させる光透過部を有するため、ヒューズが溶断した際に発光素子の光によって報知されるだけでなく、ヒューズの状態を直接目視で確認することができる。ケース内において、ヒューズ及び発光素子は、ケースの長手方向に並んで配置されるため、ヒューズと発光素子の状態を一目で確認することが容易となる。このように、ヒューズの溶断を容易かつ確実に認識可能とすることにより、作業の安全性を向上できる。また、先端側へ向けて窄むテーパー部によって、例えば、テストリードを作業袋から出し入れする際に、ケースの引っ掛かりを防ぐことができるため、扱いやすい。また、一方の端子、他方の端子、ヒューズ、及び発光素子がケースの長手方向に沿って一列に並び、ケース内にコンパクトに収容されるので、並列に配置されるよりも、ケースの径を小さくすることができる。そのため、作業者がテストリードを扱いやすく、作業性が向上する。さらに、ケースの径をより小さくすることができるため、テストリードがより取り扱いやすくなる。
【手続補正３】
【補正対象書類名】明細書
【補正対象項目名】００１４
【補正方法】削除
【補正の内容】
【手続補正４】
【補正対象書類名】明細書
【補正対象項目名】００１５
【補正方法】削除
【補正の内容】
【手続補正５】
【補正対象書類名】明細書
【補正対象項目名】００１６
【補正方法】削除
【補正の内容】
【手続補正６】
【補正対象書類名】明細書
【補正対象項目名】００１７
【補正方法】削除
【補正の内容】
【手続補正７】
【補正対象書類名】明細書
【補正対象項目名】００１８
【補正方法】変更
【補正の内容】
【００１８】
第３の発明は、第１又は第２の発明において、
上記挿通孔は、上記ケースと略同軸上にあることを特徴とする。
【手続補正８】
【補正対象書類名】特許請求の範囲
【補正対象項目名】全文
【補正方法】変更
【補正の内容】
【特許請求の範囲】
【請求項１】
電気回路の試験の際に回路の二次側を短絡させるためのテストリードにおいて、
長手方向の両端に挿通孔を有する筒状のケースと、
上記ケース内において該ケースの長手方向に並んで配置されるヒューズ及び発光素子を有し、該ヒューズが溶断した状態で印加した電圧によって該発光素子を発光させる検知回路と、
上記検知回路が有する一方及び他方の端子から、それぞれ上記挿通孔を通って上記ケースの外方へ延びるリード線と、
上記リード線の先端に接続されたクリップと、を備え、
上記ケースは、上記検知回路を収容する部分が、上記ヒューズを視認可能にするとともに、上記発光素子の光を透過させる光透過部と、長手方向の両端に、先端側へ向けて窄むテーパー部と、該テーパー部の先端に上記挿通孔を有し、
上記検知回路の一方の端子は、上記ケースの一方の上記テーパー部に収容され、
上記検知回路の他方の端子は、上記ケースの他方の上記テーパー部に収容され、
上記ヒューズ及び上記発光素子は、上記ケースにおける上記一方の端子と上記他方の端子との間に収容され、
上記ヒューズ、上記発光素子、及び上記挿通孔は、略一直線上にあることを特徴とするテストリード。
【請求項２】
上記ケースは、円筒状であり、径方向に分割された第１ケース構成部材及び第２ケース構成部材を有し、
一方のケース構成部材が透明な樹脂材で構成され、他方のケース構成部材が着色された樹脂材で構成されることを特徴とする請求項１に記載のテストリード。
【請求項３】
上記挿通孔は、上記ケースと略同軸上にあることを特徴とする請求項１又は２に記載のテストリード。